(57)【要約】【課題】外気温度の高い地域において冷却可能で、かつ、構造の簡略化が可能な空気調和機の室外ユニットに搭載される電装品箱を提供すること。【解決手段】空気調和機の室外ユニットに搭載され、筐体内部に電子部品（１１）を収納した電装品箱（１）であって、前記電子部品（１１）を収納する電子部品収納部（１０）と、前記電装品箱（１）の外部から空気を吸入する吸入口（２２）と、前記電装品箱（１）の内部から空気を排出する排出口（１３）と、前記吸入口（２２）から前記電子部品収納部（１０）までの空気の流れの経路上に配置され、空気を冷却する冷却器（３０）と、を備えている。【選択図】  図２
2020165560.tif 000002
【特許請求の範囲】
【請求項１】
空気調和機の室外ユニット（２）に搭載され、筐体内部に電子部品（１１）を収納した電装品箱（１）であって、
前記電子部品（１１）を収納する電子部品収納部（１０）と、
前記電装品箱（１）の外部から空気を吸入する吸入口（２２）と、
前記電装品箱（１）の内部から空気を排出する排出口（１３）と、
前記吸入口（２２）から前記電子部品収納部（１０）までの空気の流れの経路上に配置された、空気を冷却する冷却器（３０）と、
を備えた電装品箱。
【請求項２】
前記吸入口（２２）から吸入された空気を前記電子部品収納部（１０）へ案内する吸込み通風路（２０）を有し、
前記冷却器（３０）は、前記吸込み通風路（２０）内において空気を冷却するように構成されている
請求項１に記載の電装品箱。
【請求項３】
前記吸込み通風路（２０）は、通風方向を転換させる転向部（２５，２６）を少なくとも１個有する
請求項２に記載の電装品箱。
【請求項４】
前記冷却器（３０）は、前記電装品箱（１）の外部の空気よりも低い温度に冷却されるヒートシンク（３２）を有し、前記ヒートシンク（３２）を前記転向部（２５，２６）の内の少なくとも一つに配置するものであって、
前記ヒートシンク（３２）は、前記転向部（２５，２６）において前記通風方向を転換させる基部（３３ａ）と、前記基部（３３ａ）に取り付けられる冷熱源部（３１）と、前記基部（３３ａ）の前記吸込み通風路（２０）内に面する表面に形成されたフィン部（３４）とを有する
請求項３に記載の電装品箱。
【請求項５】
前記冷却器（３０）は、空気中に含まれる塵埃を除去するフィルタ部（４０）を備えている
請求項１〜請求項４の何れか１項に記載の電装品箱。
【請求項６】
前記フィルタ部（４０）は、前記冷却器（３０）における通過空気を冷却する表面に形成された植毛（４１）からなる
請求項５に記載の電装品箱。
【請求項７】
前記植毛（４１）は、空気の流れの上流側の前記冷却器（３０）における通過空気を冷却する表面にのみ形成されている
請求項６に記載の電装品箱。
【請求項８】
前記冷却器（３０）は、前記吸込み通風路（２０）を形成する壁体の少なくとも一部を冷却するように構成されたものである
請求項２又は３に記載の電装品箱。
【請求項９】
前記電装品箱（１）は、空気が前記冷却器（３０）で冷却されることにより発生する結露水を排出するドレン排出口（５１）を備えている
請求項１〜８の何れか１項に記載の電装品箱。
【発明の詳細な説明】
【技術分野】
【０００１】
本開示は、空気調和機の室外ユニットに搭載される電装品箱に関する。
【背景技術】
【０００２】
空気調和機の室外機には、通常、室外ユニットの運転を制御する電子部品を収納した電装品箱が搭載されている。電装品箱に収納された電子部品の一般的な冷却方法として、特許文献１や特許文献２に記載のものが知られている。特許文献１は、電装品箱の側壁部に冷却用の空気を吸入する吸入口を設け、吸入口に対向する側壁部に排出口を設けている。特許文献２は、電装品箱を密閉空間とし、内部に冷却手段を設け、密閉空間内の空気を冷却しながら自然循環させるようにしている。
【先行技術文献】
【特許文献】
【０００３】
【特許文献１】特開２００４−３０１４７７号公報
【特許文献２】特開２０１０−２１２０号公報
【発明の概要】
【発明が解決しようとする課題】
【０００４】
特許文献１に記載のものは、屋外の空気により電装品箱内を冷却しているので、外気温度の高い地域に使用する場合には冷却能力が不足するという問題があった。また、特許文献２に記載のものは、電装品箱の内部に冷却手段を設けるため、電装品箱の構造が複雑となり、大型化するという問題があった。
【０００５】
本開示は、外気温度の高い地域において使用できる、構造の簡略化が可能な空気調和機の室外ユニットに搭載される電装品箱を提供することを目的とする。
【課題を解決するための手段】
【０００６】
第１の観点に係る電装品箱は、空気調和機の室外ユニットに搭載され、筐体内部に電子部品を収納した電装品箱であって、前記電子部品を収納する電子部品収納部と、前記電装品箱の外部から空気を吸入する吸入口と、前記電装品箱の内部から空気を排出する排出口と、前記吸入口から前記電子部品収納部までの空気の流れの経路上に配置され、空気を冷却する冷却器と、を備えている。
【０００７】
この構成によれば、吸入口から吸入された空気を冷却した後に電子部品収納部へ供給するようにしているので、外気温度の高い地域においても電子部品を冷却することができ、電装品箱の構造も簡略化することができる。
【０００８】
第２の観点に係る電装品箱によれば、前記吸入口から吸入された空気を前記電子部品収納部へ案内する吸込み通風路を有し、前記冷却器は、前記吸込み通風路内において空気を冷却するように構成されている。
【０００９】
この構成によれば、冷却器は、吸込み通風路内において吸入口から吸入された空気を冷却するように構成されているので、電装品箱を簡易な構成とすることができる。
第３の観点に係る電装品箱によれば、前記吸込み通風路は、通風方向を転換させる転向部を少なくとも１個有する。
【００１０】
この構成によれば、吸入口から吸入された空気に含まれている砂塵、塵埃、雨水、海水等を転向部で分離することができ、砂塵、塵埃、雨水、海水等の電子部品収納部への侵入堆積を低減することができる。
【００１１】
第４の観点に係る電装品箱によれば、前記冷却器は、前記電装品箱の外部の空気よりも低い温度に冷却されるヒートシンクを有し、前記ヒートシンクを前記転向部の内の少なくとも一つに配置するものであって、前記ヒートシンクは、前記転向部において前記通風方向を転換させる基部と、前記基部に取り付けられる冷熱源部と、前記基部の前記吸込み通風路内に面する表面に形成されたフィン部とを有する。
【００１２】
この構成によれば、吸入口から吸入された空気に含まれている砂塵、塵埃、雨水、海水等を転向部で分離することができ、砂塵、塵埃、雨水、海水等の電子部品収納部への侵入堆積をより低減することができる。したがって、外気温度が高温の、ほこりの多い地域向けの空気調和機における電装品箱として好適である。
【００１３】
第５の観点に係る電装品箱によれば、前記冷却器は、空気中に含まれる塵埃を除去するフィルタ部を備えている。
この構成によれば、空気中に含まれる塵埃をフィルタ部で除去することができるので、塵埃の電子部品収納部への侵入堆積をより低減することができる。また、空気中に含まれる砂塵、雨水、海水等もフィルタ部で除去することができる。
【００１４】
第６の観点に係る電装品箱によれば、前記フィルタ部は、前記冷却器における通過空気を冷却する表面に形成された植毛からなる。
この構成によれば、通風が当たる場所にフィルタ部が形成されることになるので、砂塵、塵埃、雨水、海水等を効果的に除去することができる。また、冷却器における通過空気を冷却する表面に付着した砂塵、塵埃、雨水、海水等を冷却器で生成される結露水で洗い流すことができる。
【００１５】
第７の観点に係る電装品箱によれば、前記植毛は、空気の流れの上流側の前記冷却器における通過空気を冷却する表面にのみ形成されている。
この構成によれば、冷却器で生成される結露水による空気中の砂塵、塵埃、雨水、海水等の除去がより容易になる。
【００１６】
第８の観点に係る電装品箱によれば、前記冷却器は、前記吸込み通風路を形成する壁体の少なくとも一部を冷却するように構成されたものである。
この構成によれば、冷却器をより簡素な構成とすることができる。
【００１７】
第９の観点に係る電装品箱によれば、前記電装品箱は、空気が前記冷却器で冷却されることにより発生する結露水を排出するドレン排出口を備えている。
この構成によれば、冷却器で発生した結露水を排出することができる。これにより結露水の再飛散を抑制することができる。また、冷却器で空気中の砂塵、塵埃、雨水、海水等が除去された場合は、これらを結露水により洗い流し結露水とともに排出することができる。
【図面の簡単な説明】
【００１８】
【図１】第１実施形態に係る空気調和機における室外ユニットの概略構成図。
【図２】同室外ユニットの内部に搭載される電装品箱を左右方向に切断した断面図。
【図３】同電装品箱に取り付けられる冷却器の図面であって、（ａ）は左側面図、（ｂ）は正面図、（ｃ）は斜視図。
【図４】第２実施形態に係る電装品箱における冷却器周りの断面図。
【図５】第３実施形態に係る電装品箱の下方部の断面図。
【図６】第４実施形態に係る電装品箱における冷却器の説明図であって、（ａ）は冷却器周りの断面図、（ｂ）は同冷却器のヒートシンクの斜視図。
【図７】第５実施形態に係る電装品箱における冷却器の部分拡大斜視図。
【図８】第６実施形態に係る電装品箱の下方部の断面図。
【図９】第７実施形態に係る電装品箱の分解側断面図。
【図１０】第８実施形態に係る電装品箱の下方部の断面図。
【図１１】第９実施形態に係る電装品箱の下方部の断面図。
【図１２】第１０実施形態に係る空気調和機における室外ユニットの概略構成図。
【発明を実施するための形態】
【００１９】
（第１実施形態）
以下、図面を参照して、第１実施形態について説明する。なお、本開示は、以下に記載する例示に限定されるものではなく、特許請求の範囲によって示され、特許請求の範囲と均等の意味および範囲内での全ての変更が含まれることが意図される。
【００２０】
図１は、電装品箱１を収納した空気調和機の室外ユニット２である。室外ユニット２に対し１台又は複数台の室内ユニットが接続される。本実施形態においては室内ユニットの図示及び説明を省略する。本明細書において、前後、左右及び上下の方向は図１に示す方向とする。本願の図面において、白抜き矢印及び実線矢印は、電装品箱１における空気の流れ方向を示す。
【００２１】
図１に示すように、室外ユニット２には、電装品箱１以外に、圧縮機、空気と熱交換される室外熱交換器３、室外熱交換器３に空気を循環させる室外送風機４等が収納されている。室外ユニット２は、ヒートポン式空気調和機の室外ユニットとして構成されている。圧縮機は、図面簡略化のために図示しないが、室外熱交換器３を通過した空気が流通する雰囲気中に配置されている。室外熱交換器３は、背面、右側面、及び、左側面の後方部において空気の吸入口の内側に沿うように配置されている。室外熱交換器３は、伝熱管と多数のフィンとにより構成された、例えばクロス・フィン・チューブ方式やマイクロチャネル方式の熱交換器で構成されている。室外熱交換器３は、図示しない冷媒配管により四路切換弁を介し圧縮機に接続されている。室外熱交換器３は、冷房時には凝縮器として作用し、暖房時には蒸発器として作用する。
【００２２】
室外送風機４は、例えば、軸流送風機（所謂プロペラ送風機）である。室外送風機４は、背面、側面等の各空気の吸入口から空気を吸入し、上面から排気するように配置されている。
【００２３】
図１に示すように、電装品箱１は、正面から見て縦長長方形をなす。電装品箱１は、室外ユニット２の左側面に沿わせるように、室外熱交換器３の前方に配置されている。図２に示すように、電装品箱１は、電子部品収納部１０と、吸込み通風路２０と、冷却器３０とから構成されている。
【００２４】
電子部品収納部１０は、室外ユニット２の運転を制御する電子部品１１を収納する。電子部品収納部１０は、電装品箱１の下方部を除く上方に位置し、電装品箱１の大半部を占める。電子部品収納部１０は、電子部品１１を冷却する空気を取り込む連絡口１２と、電装品箱１内の空気を排出する排出口１３とを備えている。連絡口１２は、電子部品収納部１０の底面に形成されている。排出口１３は、室外送風機４の吸込側により近くなるように電子部品収納部１０の背面上部に位置して形成されている。連絡口１２及び排出口１３をこのように配置することにより、室外送風機４の運転とともに電子部品１１を冷却する空気が電子部品収納部１０内に取り込まれ、電子部品１１を冷却した後に排出される。
【００２５】
図２に示すように、吸込み通風路２０は、上下方向の中間位置に内部を上下二分する水平仕切板２１を備えている。吸込み通風路２０は、水平仕切板２１の下方部の右側方には室外ユニット２内の空気を吸入する吸入口２２が設けられている。室外ユニット２内には、室外熱交換器３を通過した後の空気が流通している。吸込み通風路２０は、吸入口２２から吸入した空気を電子部品収納部１０の連絡口１２へ案内する通風路を構成する。
【００２６】
吸込み通風路２０は、水平仕切板２１の下方部を下方通路部２３とし、水平仕切板２１の上方部を上方通路部２４としている。下方通路部２３と上方通路部２４とは、水平仕切板２１の左側方においてＵ字状に連通するように構成されている。吸込み通風路２０の上方通路部２４は、右側方において、電子部品収納部１０に連通するように構成されている。
【００２７】
吸入口２２から吸入された室外ユニット２内の空気は、下方通路部２３により左側方へ搬送され、左側方部において上方に向けて通風方向を１８０度転換し、上方通路部２４において右側方へ搬送される。この吸込み通風路２０の左側方部における通風方向の転換部を第１の転向部２５とする。上方通路部２４を搬送される空気は、右側方部において通風方向を９０度転換して連絡口１２を介し電子部品収納部１０へ導入される。この上方通路部２４の右側方部における通風方向の転換部を第２の転向部２６とする。したがって、本実施形態においては、吸入口２２から電子部品収納部１０に至る吸込み通風路２０は、二つの転向部２５、２６を備えている。
【００２８】
冷却器３０は、低圧低温の冷媒を冷熱源とする。冷却器３０は、冷熱源としての冷媒を流通させる冷熱源部３１と、冷熱源部３１により冷却されるヒートシンク３２とを有する。ヒートシンク３２は、基部３３と、基部３３と一体に形成されるフィン部３４とを有する。
【００２９】
冷熱源部３１は、冷熱源としての冷媒を流通させて基部３３と熱交換して、ヒートシンク３２を電装品箱１の外部温度より低くなるように冷却している。本実施形態における冷熱源部３１は、冷媒配管により構成されている。ヒートシンク３２は、アルミニウム、銅などの伝熱性能の良い材料により形成されているものであって、基部３３とフィン部３４とから構成されている。ヒートシンク３２は、吸込み通風路２０の左側面に構成された開口部において、外部から転向部２５に対し差し込み式に挿入されて固定されている。
【００３０】
図２に示すように、基部３３は、厚手の板状を成し、転向部２５の左側壁の開口部を貫通する状態で固定されている。したがって、基部３３は、吸込み通風路２０の左側面の開口部を閉蓋する壁を兼用する。図３（ａ）〜（ｃ）に示すように、基部３３の左側面には、冷熱源部３１を構成する冷媒配管を埋め込み式に沿わせるための凹溝３３ａが形成されている。冷熱源部３１を構成する冷媒配管は、基部３３の背面に止め金３５をビス止めすることにより固定されている。
【００３１】
フィン部３４は、吸込み通風路２０の下方通路部２３から上方通路部２４へ１８０度方向転換する空気と熱交換する。ヒートシンク３２は、左側側方部の厚手の板状を成す基部３３と右側方部のフィン部３４とが一体化されている。フィン部３４は、複数の溝状部３４ａと複数のフィン３４ｂとからなる。吸込み通風路２０の下方通路部２３から転向部２５へ流れてきた空気は、溝状部３４ａに入り、フィン３４ｂの表面や基部３３の前面側表面（すなわち、溝状部３４ａの底面）との熱交換により冷却されながら通風方向を１８０度転換している。
【００３２】
（第１実施形態の作用）
第１実施形態の電装品箱１は以上のように形成されているので、次のように冷却される。
【００３３】
室外ユニット２を有する空気調和機が運転開始されると、圧縮機や室外送風機４が運転される。電装品箱１内に収納される、空気調和機の運転を制御する電子部品１１は、空気調和機の運転に伴い発熱する。電子部品１１の中でも圧縮機の駆動回路としてのインバータ装置を構成するパワーディバイスは発熱量が大きい。空気調和機の運転に伴い電装品箱１の周囲には、室外熱交換器３通過後の空気が流通する。この空気には、砂塵、塵埃、雨水、海水等が含まれている。また、冷熱源部３１を構成する冷媒配管には、低温の冷媒が流通される。これに伴って、冷却器３０のフィン部３４が所定の温度に制御される。また、電装品箱１の排出口１３が吸入口２２よりも室外送風機４の吸込側により近いので、電装品箱１の排出口１３付近の圧力が吸入口２２付近の圧力よりも低くなる。この結果、電装品箱１内の空気が排出され、電装品箱１の周囲の空気が電子部品１１を冷却する空気として吸入口２２から吸入される。
【００３４】
吸入口２２から吸入された空気は、吸込み通風路２０の下方通路部２３により第１の転向部２５に案内される。そして、転向部２５へ案内された空気は、転向部２５で通風方向を上方へ１８０度転換されるため、空気中に含まれる砂塵、塵埃、雨水、海水等が遠心力により分離される。また、転向部２５へ案内された空気は、冷却器３０のヒートシンク３２の表面で冷却除湿されて、第２の転向部２６へ流れる。空気は、転向部２６で空気中に残存する砂塵、塵埃、雨水、海水等が遠心力によりさらに除去されて、連絡口１２を介して電子部品収納部１０へ導入される。電子部品収納部１０へ導入された空気は、電子部品収納部１０内において電子部品１１を十分に冷却した後、排出口１３から室外送風機４の吸入側へ排出される。この排出された空気は、室外送風機４に吸い込まれて室外ユニット２の外部へ放出される。
【００３５】
（第１実施形態の効果）
本電装品箱１は、以上のように構成されているので、次のような効果を奏する。
（１−１）室外ユニット２内の室外熱交換器３通過後の空気を、冷媒を冷熱源とする冷却器３０により電子部品収納部１０へ供給する前に冷却しているので、外気温度の高い地域においも電子部品１１を冷却することができる。
【００３６】
（１−２）冷却器３０は、吸込み通風路２０において電子部品収納部１０へ供給する空気を冷却するように構成されているので、冷却器３０を簡易な構成とすることができる。
（１−３）電子部品収納部１０へ供給する空気中に含まれる砂塵、塵埃、雨水、海水等を第１の転向部２５及び第２の転向部２６で分離することができ、砂塵、塵埃、雨水、海水等の電子部品収納部１０への侵入堆積を低減することができる。したがって、外気温度が高く、ほこりの多い地域向けの空気調和機における電装品箱１として好適である。なお、第１の転向部２５及び第２の転向部２６における塵、塵埃、雨水、海水等の分離は前者が主であり、後者は補助的なものとなる。
【００３７】
（第２実施形態）
次に、第２実施形態に係る電装品箱１について図４に基づき説明する。なお、第１実施形態と同一の部分には同一の符号を付し、その説明を簡略化する。
【００３８】
第２実施形態に係る電装品箱１は、冷却器３０のヒートシンク３２におけるフィン部３４に、電子部品１１を冷却する空気中に含まれる砂塵、塵埃、雨水、海水等を除去するフィルタ部４０を設けるとともに、ヒートシンク３２で発生する結露水を排出することができるようにしたものである。
【００３９】
図４に示すように、第２実施形態に係る電装品箱１に設けられる冷却器３０のヒートシンク３２は、フィン部３４の下半分の表面に樹脂製の植毛４１を施してフィルタ部４０を形成している。また、ヒートシンク３２の下方において、下方通路部２３の底面壁にヒートシンク３２で発生して下方へ滴下する結露水を集めるための溜まり部５０を形成している。また、この溜まり部５０の最下部にドレン排出口５１を設けている。
【００４０】
第２実施形態に係る電装品箱１は、第１実施形態に係る電装品箱１と同様の作用効果を奏するとともに、次の効果を奏することができる。
（２−１）電子部品１１を冷却する空気中に含まれる砂塵、塵埃、雨水、海水等は、植毛４１を施したフィルタ部４０を通過することにより、より一層除去される。
【００４１】
（２−２）フィルタ部４０に付着する砂塵、塵埃、雨水、海水等は、ヒートシンク３２で発生する結露水により洗い流されるので、ヒートシンク３２の性能低下を抑制することができる。
【００４２】
（２−３）冷却器３０のヒートシンク３２で発生した結露水を排出することができる。これにより結露水の再飛散を抑制することができる。
（２−４）冷却器３０のヒートシンク３２におけるフィルタ部４０で除去された空気中の砂塵、塵埃、雨水、海水等は、結露水により洗い流され、結露水とともにドレン排出口５１から排出される。
【００４３】
（第３実施形態）
次に、第３実施形態に係る電装品箱１について図５に基づき説明する。なお、第２実施形態と同一の部分には同一の符号を付し、その説明を簡略化する。
【００４４】
第３実施形態に係る電装品箱１は、第２実施形態に係る電装品箱１において溜まり部５０を変形し、さらに吸入口２２から吸入される空気に含まれる塵埃を除去するプレフィルタ４２を設けたものである。
【００４５】
図５に示すように、第３実施形態に係る電装品箱１に設けられる溜まり部５０は、下方通路部２３の底面壁の略全体を右側方に向かって下方に傾斜させたものとしている。そしてこの溜まり部５０の最下部となる右側方部にドレン排出口５１を設けている。また、吸入口２２にプレフィルタ４２を着脱自在に設けている。プレフィルタ４２は、空気調和機の室内空気吸込口に一般に使用されている繊維素材を枠内固定したようなものでよい。
【００４６】
第３実施形態に係る電装品箱１は、第２実施形態に係る電装品箱１と同様の作用効果を奏するとともに、次の効果を奏することができる。
（３−１）結露水を下方通路部２３の底面壁の右側方部に集めて排出するので、フィン部３４に付着した塵埃等を洗い流すとともに、下方通路部２３の底面壁に付着した塵埃等も洗い流すことができる。
【００４７】
（３−２）吸入口２２にプレフィルタ４２を設けているので、下方通路部２３に導入される空気中の、砂塵、塵埃、雨水、海水等を除去することができる。これにより、電子部品収納部１０への砂塵、塵埃、雨水、海水等の侵入堆積をより軽減することができる。
【００４８】
（第４実施形態）
次に、第４実施形態に係る電装品箱１について図６に基づき説明する。なお、第１実施形態と同一の部分には同一の符号を付し、その説明を簡略化する。
【００４９】
第４実施形態に係る電装品箱１は、第１実施形態に係る電装品箱１において冷却器３０のヒートシンク３２におけるフィン部３４を変形したものである。
図６（ａ）及び図６(ｂ)に示すように、第４実施形態に係る電装品箱１に設けられる冷却器３０のヒートシンク３２は、第１実施形態におけるフィン３４ｂをピンフィンとしたものである。
【００５０】
第４実施形態に係る電装品箱１は、第２実施形態に係る電装品箱１と同様の作用効果を奏するとともに、次の効果を奏することができる。
（４−１）電子部品収納部１０へ供給される空気がピンフィンとの衝突を繰り返しながら方向転換されるので、このフィン部３４にて空気中に含まれる砂塵、塵埃、雨水、海水等をより除去することができる。
【００５１】
（第５実施形態）
次に、第５実施形態に係る電装品箱１について図７に基づき説明する。なお、第２実施形態と同一の部分には同一の符号を付し、その説明を簡略化する。
【００５２】
第５実施形態に係る電装品箱１は、第２実施形態に係る電装品箱１において、ヒートシンク３２のフィン部３４に設けるフィルタ部４０を変形したものである。
図７に示すように、第５実施形態に係るフィルタ部４０は、第２実施形態におけるフィルタ部４０としての植毛４１に代わり、金属製繊維４３をフィン３４ｂの間の溝状部３４ａに詰め込み、これをフィルタ部４０としたものである。
【００５３】
第５実施形態に係る電装品箱１は、第２実施形態に係る電装品箱１と同様の作用効果を奏するとともに、次の効果を奏することができる。
（５−１）フィルタ部４０の構成部材が金属製であるので、塵埃等を除去するだけでなくフィン部３４の熱交換能力を向上させることができる。
【００５４】
（第６実施形態）
次に、第６実施形態に係る電装品箱１について図８に基づき説明する。なお、第１実施形態と同一の部分には同一の符号を付し、その説明を簡略化する。
【００５５】
第６実施形態に係る電装品箱１は、第１実施形態において吸込み通風路２０及び冷却器３０の構成を変更したものである。
図８に示すように、第６実施形態に係る電装品箱１は、吸込み通風路２０の内部に冷却器３０のヒートシンク３２を挿入しないものである。冷却器３０は、冷却源としての冷媒を導入する冷熱源部３１を単なる冷媒配管とし、この冷媒配管を吸込み通風路２０の左側面及び底面に沿わせている。この実施形態における冷却器３０は、吸込み通風路２０の左側面及び底面を介して電子部品収納部１０へ供給する空気を冷却するようにしたものである。したがって、冷却器３０は、冷熱源部３１、吸込み通風路２０の左側面及び底面を構成部材とする。
【００５６】
第６実施形態に係る電装品箱１は、第１実施形態に係る電装品箱１と同様の作用効果を奏するとともに、次の効果を奏することができる。
（６−１）冷却器３０及び吸込み通風路２０の構成が簡素化される。冷熱源部３１は、吸込み通風路２０の少なくとも一部の外表面を冷却するものであればよく、簡素な構造とすることができる。
【００５７】
（第７実施形態）
次に、第７実施形態に係る電装品箱１について図９に基づき説明する。なお、第１実施形態と同一の部分には同一の符号を付し、その説明を簡略化する。
【００５８】
第１実施形態に係る電装品箱１は、電子部品収納部１０と吸込み通風路２０とを一体に形成していたが、第７実施形態に係る電装品箱１は、これらを分離可能、及び、分離して製作できるようにしたものである。
【００５９】
図９に示すように、第７実施形態に係る電装品箱１は、電子部品１１を収納した電子部品収納部１０と吸込み通風路２０との仕切壁を、電子部品収納部１０の底面としている、したがって、電子部品収納部１０は、それ自身密閉空間を形成する独立の筐体として形成されている。
【００６０】
一方、吸込み通風路２０は、上面壁のない形態であって、前記第１実施形態と同様の構造で製作される。図９においては、冷熱源部３１としての配管が取り付けられて示されているが、冷熱源部３１は、吸込み通風路２０と電子部品収納部１０とを組み付けた後、或いは、吸込み通風路２０を電子部品収納部１０へ組み付ける際に取り付けられる。したがって、吸込み通風路２０の製作としては、冷熱源部３１を取り付けていない状態のものを制作すればよい。
【００６１】
また、冷却器３０を構成するヒートシンク３２は、吸込み通風路２０の筐体を完成させた後に組み付けすればよい。また、冷却器３０を構成するヒートシンク３２の吸込み通風路２０への組み込みは、吸込み通風路２０の筐体の電子部品収納部１０への組み付けの前後何れであってもよい。
【００６２】
第７実施形態に係る電装品箱１は、第１実施形態に係る電装品箱１と同様の作用効果を奏するとともに、次の効果を奏することができる。
（７−１）本電装品箱１は、電子部品収納部１０と吸込み通風路２０とを分離可能、及び、分離して製作できるようにしているので、吸込み通風路２０および冷却器３０を外気温度の高い地域向けのオプションとして取り扱うことができる。
【００６３】
（第８実施形態）
次に、第８実施形態に係る電装品箱１について図１０に基づき説明する。なお、第１実施形態と同一の部分には同一の符号を付し、その説明を簡略化する。
【００６４】
第８実施形態に係る電装品箱１は、第１実施形態において吸込み通風路２０を省略したものである。
図１０に示すように、第８実施形態に係る電装品箱１は、電子部品収納部１０の連絡口１２の下方に冷却器３０を取り付けている。冷却器３０は、第１実施形態における冷却器３０を左右対称的にした構成を基本としている。冷熱源部３１及びヒートシンク３２は第１実施形態と同一である。ただし、この実施形態においては、連絡口１２の開口位置及び開口寸法と、フィン部３４の平面上の位置及び平面寸法とを略一致させている。また、フィン部３４の溝状部３４ａの下面を塞ぐ閉鎖板３６をヒートシンク３２の下面に取り付けている。これにより、室外ユニット２内の空気は、ヒートシンク３２の左側方から連絡口１２に向けて通風方向を転換させながら電子部品収納部１０へ吸入される。この場合に、通風方向の転換角度は４５度以上としている。ヒートシンク３２は、通風方向を４５度以上転換させることにより、砂塵、塵埃、雨水、海水等を除去する第１の転向部２５を成している。
【００６５】
第８実施形態に係る電装品箱１は、第１実施形態に係る電装品箱１と同様の作用効果を奏するとともに、次の効果を奏することができる。
（８−１）吸込み通風路２０を設けないので、電装品箱１を簡素化することができる。
【００６６】
（第９実施形態）
次に、第９実施形態に係る電装品箱１について図１１に基づき説明する。なお、第１実施形態と同一の部分には同一の符号を付し、その説明を簡略化する。
【００６７】
第９実施形態に係る電装品箱１は、吸込み通風路２０及び冷却器３０の構成を変更したものである。
図１１に示すように、第９実施形態に係る電子部品収納部１０は、第１実施形態と同一である。第９実施形態に係る吸込み通風路２０は、水平仕切板２１を廃止し、左側方に吸入口２２を設け、左側方の吸入口２２から吸入した室外ユニット２内の空気を右側方の連絡口１２の手前までへ直線的に案内するようにしたものである。この場合、吸込み通風路２０内を流通する空気は、右側方部において通風方向を９０度転換して連絡口１２を介して電子部品収納部１０へ導入される。したがって、吸込み通風路２０の右側方部は、通風方向を９０度転換させることにより、砂塵、塵埃、雨水、海水等を除去する第１の転向部２５を構成する。
【００６８】
また、この実施形態における冷却器３０は、低温冷媒を流通させる冷媒配管から成る冷熱源部３１と、厚手の板状部のみから成るヒートシンク３２とを備えたものである。本実施形態における冷熱源部３１は、第１実施形態における冷熱源部３１に相当し、本実施形態におけるヒートシンク３２は、第１実施形態におけるヒートシンク３２の基部３３のみを備えた構成に相当する。本実施形態におけるヒートシンク３２は、吸込み通風路２０の底面に密着して取り付けられている。
【００６９】
第９実施形態に係る電装品箱１は、第１実施形態に係る電装品箱１と同様の作用効果を奏するとともに、次の効果を奏することができる。
（９−１）吸込み通風路２０は、上下２層とする必要がないので、簡素化されるとともに小型化される。また、ヒートシンク３２も板状部材のみでよいので簡素化される。
【００７０】
（第１０実施形態）
次に、第１０実施形態に係る室外ユニット２の概略構成について図１２に基づき説明する。なお、第１実施形態と同一の部分には同一の符号を付し、その説明を簡略化する。
【００７１】
第１０実施形態に係る室外ユニット２は、電装品箱１の吸入口２２に外気が直接吸入されるように電装品箱１の構成を変更したものである。
図１２に示すように、第１０実施形態に係る電装品箱１は、第１実施形態と同様に室外ユニット２の左側面に沿わせるように、室外熱交換器３の前方に配置している。そして、第１実施形態においては、吸入口２２が右側面に設けられていたが、本実施形態においては左側面に設けられ、吸入口２２へは、外気が直接吸入されるように形成されている。なお、吸入口２２から連絡口１２に至る経路は、図示しないが第１実施形態と左右対称的に構成されている。また、室外ユニット２の左側面には、図示しないが吸入口２２を外気に曝せる開口が設けられているものとする。
【００７２】
第１０実施形態に係る電装品箱１は、第１実施形態に係る電装品箱１と同様の作用効果を奏するとともに、次の効果を奏することができる。
（１０−１）電装品箱１に吸入される空気は、室外熱交換器３を通過する前の外気であるので、室外ユニット２内の空気より温度が低い。したがって、第１実施形態の場合に比し電子部品１１の冷却効果を向上させることができる。
【００７３】
（１０−２）また、吸入口２２付近の圧力と排出口１３付近の圧力との差が大きくなるので、電子部品収納部１０へ導入される空気量を増大させることができる。その分冷却効果を向上させることができる。
【００７４】
（変更例）
上記各実施形態に関する説明は、本開示に従う電装品箱１の例示であり、その形態を制限することを意図していない。本開示に従う電装品箱１は、例えば以下に示される上記各実施形態の変更例、及び相互に矛盾しない少なくとも２つの変更例が組み合わせられた形態を取り得る。以下の変更例において、上記各実施形態と共通する部分は、上記各実施形態と同一の符号を付してその説明を省略する。
【００７５】
・各実施形態において、冷却器３０の冷熱源部３１は、冷媒配管にて構成されていたが、内部に冷媒を流通させる平板状容器としてよい。また、吸込み通風路２０の壁体を中空状の壁体とし、内部に冷媒を流通させるようにしたものでもよい。さらには、冷熱源部３１として、低温冷媒を流通させる冷媒配管からなる構成に代えてサーモモジュールを用いてもよい。
【００７６】
・冷却器３０のヒートシンク３２は、空気の流れの方向転換を支障なく行えるものであれば、第１実施形態および第４実施形態以外の適宜の構造の物を採用することができる。
・第１実施形態〜第７実施形態、及び第１０実施形態において、転向部２５，２６は２か所であったが、転向部２５，２６の個数をさらに増加させてもよい。こうすれば、空気に含まれる砂塵、塵埃、雨水、海水等の除去をより確実とし、電子部品収納部１０への侵入堆積を低減することができる。
【００７７】
・第３実施形態にプレフィルタ４２を設けたが、他の実施形態においてこれと同様にプレフィルタ４２を設けてもよい。逆に、第３実施形態において、他の実施形態と同様にプレフィルタ４２を省略することもできる。
【００７８】
・第２実施形態及び第３実施形態には、ヒートシンク３２で発生した結露水を受ける溜まり部５０とドレン排出口５１とを設けているが、他の実施形態においてもこれと同様に溜まり部５０とドレン排出口５１を設けてもよい。
【００７９】
・第１０実施形態の電装品箱１は、第１実施形態の電装品箱１の変更例として説明しているが、第２実施形態〜第９実施形態の電装品箱１においても第１０実施形態と同様に変更してもよい。
【００８０】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００８１】
１  電装品箱
２  室外ユニット
３  室外熱交換器
４  室外送風機
１０  電子部品収納部
１１  電子部品
１２  連絡口
１３  排出口
２０  吸込み通風路
２１  水平仕切板
２２  吸入口
２３  下方通路部
２４  上方通路部
２５  （第１の）転向部
２６  （第２の）転向部
３０  冷却器
３１  冷熱源部
３２  ヒートシンク
３３  基部
３３ａ  凹溝
３４  フィン部
３４ａ  溝状部
３４ｂ  フィン
３５  止め金
３６  閉鎖板
４０  フィルタ部
４１  植毛
４２  プレフィルタ
４３  金属製繊維
５０  溜まり部
５１  ドレン排出口
【図１】
2020165560.tif 000003
【図２】
2020165560.tif 000004
【図３】
2020165560.tif 000005
【図４】
2020165560.tif 000006
【図５】
2020165560.tif 000007
【図６】
2020165560.tif 000008
【図７】
2020165560.tif 000009
【図８】
2020165560.tif 000010
【図９】
2020165560.tif 000011
【図１０】
2020165560.tif 000012
【図１１】
2020165560.tif 000013
【図１２】
2020165560.tif 000014